(57)【要約】【課題】使用者の状況に合わせて効果的かつ手軽に口の周り、口腔、咽喉等の湿度を保つことができ、装着使用時の快適さを維持でき息苦しさを感じさせず、唇や頬、ほうれい線などの潤いも保つことができ、より幅広い状況下で便利度高く使用できる口腔・口周り保湿具を提供する。【解決手段】口腔・口周り保湿具は、装着者の鼻孔は覆わないが、少なくとも口を覆って口からの呼気吸気を通過させる口覆い部１０と、該口覆い部を顔面へと取り付けする取り付け手段としての耳かけ３と、装着時に前記口覆い部における装着者の口近傍部分にゆとりを生じさせるゆとり付与手段としての接着部５・プリーツ４とを備える。【選択図】図１
2019081984.tif 000002
【特許請求の範囲】
【請求項１】
装着者の鼻孔は覆わないが、装着者の口を覆って口による呼気および吸気を通過させる口覆い部と、
該口覆い部を装着者の顔面へと取り付けするための取り付け手段と、
装着時に前記口覆い部における装着者の口周辺部分にゆとりを生じさせるゆとり付与手段と、
を備えた口腔・口周り保湿具。
【請求項２】
装着者の鼻孔は覆わないが、装着者の口とあご下とを覆って口による呼気および吸気を通過させる口覆い部と、
該口覆い部を装着者の顔面へと取り付けするための取り付け手段と、
装着時に前記口覆い部の装着者の口近傍部分にゆとりを生じさせるゆとり付与手段と、
鼻の下かつ口の上たる部分に設けられ、前記口覆い部の位置を安定させて口の露出と鼻孔の被覆とを防止する安定手段と、
を備えた口腔・口周り保湿具。
【請求項３】
装着者の鼻孔は覆わないが、装着者の口とあご下とを覆って口による呼気および吸気を通過させる口覆い部と、
該口覆い部を顔面へと取り付けする取り付け手段と、
装着時に前記口覆い部の装着者の口近傍部分にゆとりを生じさせるゆとり付与手段と、
装着者が口を開くことで前記口覆い部があご下に引かれ下がって口が露出してしまうことを防止する下がり防止手段と、
を備えた口腔・口周り保湿具。
【請求項４】
前記口覆い部は、その捕集（ろ過）効率がマスクとしての使用に適する程度未満である
ことを特徴とする請求項１ないし３に記載の口腔・口周り保湿具。
【発明の詳細な説明】
【技術分野】
【０００１】
本発明は、主として咽喉、口腔、口の周辺の潤い維持に役立つ口腔・口周り保湿具に関するものである。
【背景技術】
【０００２】
エアーコンディショナー使用時や冬季など空気の乾燥する状況におかれた場合や、風邪予防、美容等の関係で、自身の周りの湿度を快適なものに保ちたいとの要望がある。また、起床時に感じる咽喉の不快感等、口呼吸や睡眠時等に口を開けていることの弊害（室内の乾燥した空気にさらされる等）に鑑み、特に口周りだけでも適度に加湿したいという要望がある。
この場合に、加湿器で部屋全体を加湿する等による調整が考えられるが、状況等により使用がふさわしくないケースや、手軽さに欠ける面、結露によるカビの懸念などの問題があった。
【０００３】
これに関し、手軽に自身の口周りだけを適度に加湿し、潤いの維持をなす器具として例えば次のような技術が存する。
特許文献１に記載の「呼吸用保護具」は、ケースと、ケース内に装填される含水材とで本体部を構成する。ケースの上面に左右一対の弾性腕からなる取付部を設け、両弾性腕鼻中隔を挟持して、本体部を支持する。鼻孔と対向するケースの上面左右には給湿口を設ける。
呼気の一部は給湿口から噴き込まれ、含水材に触れて蒸散を促す。蒸散した水蒸気が吸気に含まれて鼻腔内へ吸引される。
そして、これによれば、手軽に、窮屈感少なく、鼻腔や咽頭内の粘膜の乾燥を阻止するとの効果を得ることができる。
【０００４】
また、睡眠時の口呼吸、口開けを防止するとの方向から、特許文献２に記載の「口呼吸矯正テープ」は、口唇の少なくとも両端を被覆するシート部と、シート部の裏面に設けられる粘着層とを備え、シート部の外側に、粘着層が設けられない把持部が延出していることで、使用者が外側に延出し且つ粘着層が設けられない把持部を把持してシート部を口唇から離間させることにより、粘着層を手指に貼り付けずに皮膚から剥離することができ、かかる剥離作業を簡便に行えるため、所望のタイミングで容易に取外すことができる。
これによれば、所望のタイミングで即座に取り外すことができる口呼吸矯正テープを提供することができる。
【先行技術文献】
【特許文献】
【０００５】
【特許文献１】特開２００２−２５３６７１号公報
【特許文献２】特開２０１４−２３６９２８号公報
【発明の概要】
【発明が解決しようとする課題】
【０００６】
しかしながら、上記文献1の呼吸用保護具では、生産と使用とに手軽さが不十分で、また、人目がある際の使用がためらわれる問題や、睡眠時や鼻づまりがひどい時、口呼吸の癖が抜けない使用者などには効果や快適さの面での問題があった。
また、文献２の口呼吸矯正テープでは、水を飲む、あくびをする、第三者が同室にいて会話をする等のことを考慮した場合の不便さや、鼻づまりがひどい時、口呼吸の習慣が抜けない使用者などには使用の可否や効果や快適さの面での問題があった。
そこで、発明が解決しようとする課題は、生産と使用とが比較的手軽で、使用者の状況に合わせて効果的に口周り等へ潤いをもたらし、装着しても快適さを維持できる口腔・口周り保湿具を提供する点にある。
【課題を解決するための手段】
【０００７】
上記課題を解決するため、その手段の第一の観点の口腔・口周り保湿具は、装着者の鼻孔は覆わないが、装着者の口を覆って口による呼気および吸気を通過させる口覆い部と、該口覆い部を装着者の顔面へと取り付けするための取り付け手段と、装着時に前記口覆い部における装着者の口周辺部分にゆとりを生じさせるゆとり付与手段と、を備えたことを特徴とする。
そして、この口腔・口周り保湿具には、呼気に含まれる湿気などを口覆い部内にとどめる作用があり、覆われている部分とその奥部分に潤いをもたらす。さらに、口覆い部を装着者の鼻孔を覆わない構成とすることで、装着者の鼻呼吸を妨げることがなく装着中の快適さを維持できる。
【０００８】
第二の観点の口腔・口周り保湿具は、装着者の鼻孔は覆わないが、装着者の口とあご下とを覆って口による呼気および吸気を通過させる口覆い部と、該口覆い部を装着者の顔面へと取り付けするための取り付け手段と、装着時に前記口覆い部の装着者の口近傍部分にゆとりを生じさせるゆとり付与手段と、鼻の下かつ口の上たる部分に設けられ、前記口覆い部の位置を安定させて口の露出と鼻孔の被覆とを防止する安定手段と、を備えたことを特徴とする。
【０００９】
第三の観点の口腔・口周り保湿具は、装着者の鼻孔は覆わないが、装着者の口とあご下とを覆って口による呼気および吸気を通過させる口覆い部と、該口覆い部を顔面へと取り付けする取り付け手段と、装着時に前記口覆い部の装着者の口近傍部分にゆとりを生じさせるゆとり付与手段と、装着者が口を開くことで前記口覆い部があご下に引かれ下がって口が露出してしまうことを防止する下がり防止手段と、を備えたことを特徴とする。
第四の観点の口腔・口周り保湿具は、前記口覆い部は、その捕集（ろ過）効率がマスクとしての使用に適する程度未満であることを特徴とする。
なお、「下がり防止」などというときの上下方向は、装着者から見た際の方向をいうものとし、前後方向や左右方向に関しても同様に装着者から見た際の方向をいうものとする。すなわち、直立している装着者における頭の方向を上方向、足の方向を下方向、胸側を前方向、背中側を後方向、右手側を右方向、左手側を左方向とする。
「ゆとり」とは、装着者の口と口覆い部との間で少なくとも前後方向において生まれる物理的な余裕のことをいう。
「マスク」とは、天然繊維・化学繊維の織編物または不織布を主な本体材料として、口と鼻を覆う形状で、花粉、ホコリなどの粒子が体内に侵入するのを抑制、また、かぜなどの咳やクシャミの飛沫の飛散を抑制することを目的に使用される、薬事法に該当しない衛生用製品をいう。
【発明の効果】
【００１０】
使用者の状況に合わせて効果的かつ手軽に口の周り、口腔、咽喉等の湿度を保つことができ、装着使用時の快適さを維持でき息苦しさを感じさせず、より幅広い状況下で便利度高く使用できる口腔・口周り保湿具を提供する。
また、口覆い部の覆う範囲を拡げた場合には、唇や頬、ほうれい線などの潤いも保つことができる。
【図面の簡単な説明】
【００１１】
【図１】図１は実施例の口腔・口周り保湿具につき外観の全体像を示す斜視図である。
【図２】図２は実施例の口腔・口周り保湿具における製造工程において、上端・下端の中央部分に溶着作業を行って接着部分を設ける前の状態を表す正面図である。
【図３】図３は実施例の口腔・口周り保湿具における製造工程において、上端・下端の中央部分に溶着作業を行って接着部分を設けた後の状態を表す正面図である。
【図４】図４は装着者が実施例の口腔・口周り保湿具を装着する方法を表した正面図である。
【発明を実施するための形態】
【００１２】
以下、図面を参照し、発明を実施するための形態について詳細に説明する。なお、発明は、以下に説明する実施形態に限定されるものではない。
口周り保湿具の一態様として、成人男性の主として就寝時装着を想定したタイプで、洗濯再使用は想定しないものを例に挙げて説明する。
図１は実施例の口腔・口周り保湿具につき外観の全体像を示す斜視図である。
口覆い部１０は、装着者の鼻孔は覆わないが、装着者の少なくとも口を覆って口による呼気および吸気を通過させるものである。この実施例では口とあご下とを覆うほか、ほほ、あご、唇を覆う。口覆い部１０の外側層１には、一例として形状保持及び内側生地保護に適した素材のポリプロピレンを使用し、内側層２には親水性の素材（肌触りの良い不織布であり、適度に水分保持力を有する外側とは別種のポリプロピレン）を使用する。この実施例ではあえてコストを下げることよりも快適さを追求し、同種の手触りが良いのみのものに比べ親水性数％〜十数％増の生地を採用した。外側と折りたたみ前後ともに同じサイズとなるように、すなわち口覆い部全体として２層になるように構成した。（プリーツによってできる重なりは層から除く。）層はこの２つのみである。
【００１３】
口覆い部１０を装着者の顔面へと取り付けするための取り付け手段として、口覆い部左右の各端部に適度な伸縮性のあるポリプロピレン製の耳かけ３を設けた。
装着時に前記口覆い部１０における装着者の口周辺部分にゆとりを生じさせるゆとり付与手段として、口覆い部１０の上下方向の長さを適宜伸張させられるように設計したプリーツ４と、口覆い部１０の、装着者の鼻の下かつ口の上たる部分に来るべき部分に、該部分をつまみ上げたような態となるカマボコ型の接着部分５とを設けた。これらは装着者が口を開くことで前記口覆い部１０があご下に引かれ下がって口が露出してしまうことを防止する下がり防止手段としてもはたらく。また、接着部分５は、鼻の下かつ口の上たる部分に設けられ、口覆い部１０の位置を安定させて口の露出と鼻孔の被覆とを防止する安定手段としてもはたらく。
【００１４】
図２は実施例の口腔・口周り保湿具における製造工程において、上端・下端の中央部分に溶着作業を行って接着部分を設ける前の状態を表す正面図である。
なお、実施例、図２、図３等で説明の便宜上製造工程に順をもうけているが、製造における手順が実施例の通りの順でなければいけないわけではない。溶着の発生する工程を一連のものとしてまとめて効率的にする、既存の製造設備に合うように行程を組む等の工夫は適宜とることができる。
口覆い部１０とするべく外側層となす不織布と内側層となす不織布とを重ね合わせ、プリーツ４となるべき折り目を付し、口覆い部とするに適したサイズにカットし、口覆い部１０の上下左右端を溶着にて固定し、溶着により耳かけ３を取り付け、所定の位置に星形のマーク６をつけた。
口覆い部１０は、少なくとも口を覆って口からの呼気吸気を通過させるものと構成されるべきであるが、この実施例においては口のほか、頬やあご、あご下をも覆うように構成した。想定される装着者（本実施例では成人男性）のほほを、なるべく全域覆うことができるよう、想定される装着者の平均的な顔のサイズなどを勘案し、なるべく横に長く、また、上端を装着者の頬骨に沿うようにＵ字の曲線状に構成した。保湿可能とする範囲の調整（特に想定される装着者が成人女性の場合は重要）と、耳へ至る耳かけ３の引張り力の方向を調整勘案をしている。さらに、耳かけよりも肌ストレスが小さく痕が付きにくい口覆い部を使うことでなるべく耳かけを短く、かつ耳かけのスタートラインが顔の端にくるようにし、圧力のかかる先もなるべくほほ骨に乗るように設計している。さらには、口覆い部の面積の広いことは、ずれの防止にもつながりやすい。
プリーツ４の配置は、後述する作用・効果に適するように、その位置と大きさと数を調整した。
【００１５】
図３は実施例の口腔・口周り保湿具における製造工程において、上端・下端の中央部分に溶着作業を行って接着部分を設けた後の状態を表す正面図である。
図２の状態に至ったところで、口覆い部１０の左右方向における中央で折り重ねた。続いて、この中央部分の上端に折り重ねの上から、溶着（熱接着）によって、カマボコ型の接着部分５を設けた。なお、同様に下端にも接着部分を設けて下端接着部７としている。これによりあご下の密着度を適切なものとすることができ、口覆い部１０の上ずれ防止や、あご部分における隙間ができることの防止に資する。
接着部分５はカマボコ型であるが、これは、装着者の肌に触れる部分に丸みを持たせ、かつ、その反対側は装着者の鼻中隔にあたりうるため、そこは溶着させないことで、当たっても角が刺さるようなことの無いようにと考え、この型としたものである。
【００１６】
この接着部分５は、プリーツ４と共にはたらき、装着時に前記口覆い部１０における装着者の口周辺部分にゆとりを生じさせるゆとり付与手段となっているわけだが、これについては口覆い部上端の左右幅が相対的に短くなることで口覆い部中央部の左右幅が相対的に長いものになること、プリーツ４の伸張で、こちらは口覆い部１０の中央部分における上下幅が相対的に長いものになること（左右端の上下幅はプリーツ４を伸ばせぬように溶着されているので）で、それぞれゆとりを生む元となり、さらに接着部分５によって生まれる上下方向のラインは鼻の下部分の肌よりも前方になるようはたらく。また、プリーツ４にはアーチ効果もある。また、接着部分５から生まれる上下方向のラインもアーチ効果が期待できる。
装着者の口周りには唇部分における前方向への突出があるわけであるが、これを上回って口覆い部１０が前方向へ突き出すように設計すれば、口周りにゆとりが生まれ、さらには口を開いたときに本体部内側が口に入る・触れることを防ぐ。 口をあけた際に重力や吸い込みなどで内側が入り込んだり、口周りのニキビなどに触れたり、蒸れたりなどといった不都合事を起こりにくくする効果がある。
この効果は特に、寝姿勢となったときは、より重要である。 
続いて、口覆い部のずれ、特に上にずれて鼻孔を覆ってしまうことのないようにすることと、下にずれて口が露出してしまうことのないようにすることについても説明する。
【００１７】
実施例においては、鼻の下かつ口の上たる部分に設けられ前記口覆い部の位置を安定させて口の露出を防止する安定手段として接着部５をはたらかせることができる。なお、このための構成としては他にも例えばウレタンクッションを用いてずれを防止（ずれをクッションの傾きにより吸収するなど）することができる。他にも、粘着テープによる顔面への貼り付けも考えられる。
また、実施例においては、装着者が口を開くことで前記口覆い部があご下に引かれ下がって、口が露出してしまうことを防止する下がり防止手段として、接着部５をもうけ、これが唇にひっかかり、かつまた口周りのゆとり、プリーツ４のさらなる展開での伸びを活用できる。他の部分の設計や装着者の顔周りのサイズにもよるが、プリーツ三つ等の実施例設計では睡眠時の自然な口開けや会話程度には十分対応可能で、あくびのような大きな口開けも１、２回は位置修正なく耐えうる。なお、このための構成としては他にも例えば、後述するような比較的大きめの口覆い部１０となるような設計をして、その摩擦力や、吸着力（特に口覆い部内側に水分等の十分なときや、吸着力を有する素材を用いたとき）を利用することも考えられる。
【００１８】
口覆い部左下（上記の通り装着者から見て左下、図面を見る者にとっては右下）部分に存するマークは、溶着により設けたもので、使用者に口腔・口周り保湿具の向きを識別しやすくさせるための工夫である。この構成を取る場合には、製品説明等において、マークが自分から見て左下に来るように装着する旨の表示も行うことにより、装着の向きに悩むことを防ぐ効果がある。
また、顔への取り付け手段として耳かけ４を取り付けた。 幅広になっていて、平タイプで顔に接する面を広くすることではストレスを軽減し、痕が付きにくく耳への負担による不快感を軽減できるよう工夫をした。
【００１９】
口覆い部１０は、不織布に代えて例えばガ−ゼなど、必要な作用をするものであれば材料は限定されない。口覆い部に限らないが、選択する素材としてポリウレタンその他を使用したりデザインのためさらに別の素材の層を外側に設けたり等も可能である。
また、あご下は必ず覆うとは限らない。覆わない場合には、口を開けることによるずれを気にする必要は小さくなるが、保湿等の効果範囲は狭まる。逆にクビ、場合によっては鎖骨、額などを覆うバリエーションも考えられる。
例えば、下部はあごまでを覆い、上部が鼻の高さ（頬骨のあたり）まで口覆い部１０があるタイプで、鼻部分（鼻全体または鼻の穴部分）を切り出しているものや、上部をさらに額部分まで伸ばし、鼻部分に加え目部分をも切り出しているもの等である。このように覆う範囲を拡げると、装着の簡便さは低下する面もあるが、装着者がつけた化粧水やあらかじめ内側にしみこませたローション等の活用もしやすいし、口覆い部１０の摩擦力により、ずれを起こしにくくする効果が高まる。
【００２０】
口覆い部１０は、自己呼吸による保湿効果をもたらし、さらには皮膚・汗腺等から分泌される水分を内側の生地で留めておける効果も期待できる。室内の乾燥した空気にさらされることなく、化粧水等により与えられた潤い等を良好な状態で維持することにも資する。また、後述するように通気性が高い設計とすることで、汗腺等からの分泌等（いわゆる美容業界にて言われる皮膚呼吸）を妨げること無く使える。
【００２１】
この実施例で採用した内側生地のほかにも、さまざまなバリエーションが考えられ、親水性等への配慮に関しては装着者がつけた化粧水やあらかじめ内側にしみこませたローション等の活用も考えられる。外側に設ける不織布層に対し内側は一部のみに親水性の素材による層を設けるであるとか、内側にポケットを設け、そこに親水性の素材からなる小片を入れることも考えられ、さらにはその小片にあらかじめ化粧水等をしみこませておくこと等も考えられる。呼気による水分以外の水分を上手く用いることは、呼吸は鼻中心で行うが口は開いてしまうといった状況には非常に有効である。
内側生地においては、肌触りも非常に重要であるので、たとえば肌ストレスの小さいスーパーソフトの生地を使用することも考えられる。その他、タオル生地を使用して洗濯再利用を可能とする、コスト面を重視するなどした素材とするなどもありえる。
【００２２】
ゆとり付与の他の手段として、より全体的な立体構造（口覆い部１０を前後方向も含む３次元的な構成にしたもの、口覆い部１０の端部の全部または一部にクッションを配置するもの、カップを口にかぶせるような態で口覆い部１０が比較的硬いものなど）や、端部でなくても口の周囲に当たる部分をポリウレタンのクッションなどで輪状等に覆ったりするなどが考えられる。なお、口覆い部の内側が口・唇に全く触らないようなものとすることも考えられ、このような直接的な接触は無いものであっても口を覆うものであることに変わりは無い。また、ポリウレタンクッションの採用等においては鼻呼吸の邪魔にならないようにすることが望ましい。もちろん、ゆとり付与に関する設計に限らず、その他鼻呼吸を妨げかねないような設計（例えば口覆い部１０の鼻の下部分が極端に厚くなるような設計）は、避けることが望ましい。他にもワイヤーを用い、鼻の下や、口部分にアーチとして使う等もできる。
【００２３】
また、接着部５を三日月、円、楕円、ピーナッツ型、扇形にするなども適宜取り得る。
口覆い部１０のカット後に行う上端の溶着時に、鼻中隔への刺激を防ぐため、鼻の下部分は溶着をしないでおくか、溶着を控えめにするか、下へ迂回するかなども考えられる。
耳掛け３のかわりに、例えばオーバーヘッドで、紐２本のものや口覆い部の上下幅をそのままに延長した柔軟素材を後頭部で結ぶような方式などとすることも出来るし、耳かけやオーバーヘッドに、装着者に応じて好ましい長さとなるように調整可能とするバンド等の手段を備えても良い。
向きを識別するためのマークは不可欠の構成ではない。また、別の見分け方をしても良い。例えば色分け等によるなどが考えられる。
【００２４】
図４は装着者が実施例の口腔・口周り保湿具を装着する方法を表した正面図である。
装着者は鼻を覆わないように口覆い部１０をセットして、耳かけ３により取り付け、あご下のフィッティングを、適宜プリーツ４を伸張しながら行う。
【００２５】
ここまで説明した通り、発明者は口腔・口周り保湿具の形状に関し、実施可能となる程度にまで開発を進めたが、さらに装着者の快適性等に鑑み、通気性等に関する改良を加えた。
具体的には、まずは口覆い部の内側（後ろ方向側）に採用する、適切な肌触りおよび親水性となる不織布の素材および厚さを決定し、次に前記親水性不織布を含む、口覆い部全体の通気性を、層構成、使用素材・厚さにより調整した。そのデータは次のとおりである。
【００２６】
本件の口腔・口周り保湿具の通気性はＪＩＳ  Ｌ  １０９６Ａ法による測定で２２５．３立方センチメートル／（平方センチメートル・ｓ）である。
比較対象の通気性はＪＩＳ  Ｌ  １０９６Ａ法による測定で１９．８立方センチメートル／（平方センチメートル・ｓ）である。
本件の口腔・口周り保湿具との通気性の比較対象は、出願人が製造販売するマスクである。
【００２７】
ここで、マスクとは、一般社団法人日本衛生材料工業連合会の定義によれば、「天然繊維・化学繊維の織編物または不織布を主な本体材料として、口と鼻を覆う形状で、花粉、ホコリなどの粒子が体内に侵入するのを抑制、また、かぜなどの咳やクシャミの飛沫の飛散を抑制することを目的に使用される、薬事法に該当しない衛生用製品」をいう。
この点、本件口腔・口周り保湿具は鼻を覆わないという点と使用目的の点とからマスクには該当しないものである。さらには、比較対象としたマスクやその他マスク一般に設けられる捕集（ろ過）効率を適切なものとするための層（外側の層と内側の層との間に設けられることが多い）を持たないから、装着者がマスクとしての使用もできるものとの誤解を招かぬよう、マスクではない旨や、保湿のために使用するものである旨などを、商品説明に表示する。
なお、捕集（ろ過）効率の度合いはＰＦＥ等の試験により測定が可能であり、通気性試験の比較対象としたマスクもＰＦＥ試験で平均９９％を超えるものとなっている。試験による数値が９９％を超えること等を「マスク」の規格として提案しようとする試みもあるが、出願日時点では確立にはいたっていないようである。ただし、出願日時点でのマスク業界の市場的意識としては、９９％を超えないことは、マスクの定義・目的にかなうものとして販売することには適さないとの認識が存する。（ウイルスに対応するものとしてはＰＦＥ試験で９９％以上、花粉に対応するものとしてはＢＦＥ試験で９９％以上。）
【００２８】
このような通気性調整に係る開発に至ったのは、次のような背景がある。すなわち、マスク本来の使用目的と併せてまたは使用目的から外れて、マスクを保湿目的として装着使用することがある。但し、このような使用をしていると、息苦しくて装着を止めてしまう・無意識に外してしまうことや、装着中は口呼吸を行いがちになり長く続くと口呼吸の習慣がついてしまうのではないかということなどが考えられる。その弊害を避けるような口腔・口周り保湿具を提供したいと考えたことによる。
もちろん、マスクは鼻をも覆うものであるから、鼻からの呼気・吸気にもマスク内部の湿度効果を活かすことができると考えられる。しかしながら、鼻での呼吸は、その呼気においてはマスク等の道具によらずとも、一定程度の加湿効果を得ることができるので、単純に湿度の面から鼻孔を覆うことの必要性は小さい。（鼻から吸われた空気は適度な湿気と温度とを加えられ、また、鼻毛等のフィルター効果を得て取り込まれる。）
【００２９】
そこで、鼻は覆わない点でマスクとはスタートラインから息苦しさが違うが、睡眠時などは口呼吸も想定が必要のため、口覆い部１０の通気性を「マスクよりも高いものとする」をまずは着想した。具体的には、通気性試験を行ったマスクの試験結果数値に鑑み、口覆い部１０は、その通気性がＪＩＳ  Ｌ  １０９６Ａ法による測定で１９．８立方センチメートル／（平方センチメートル・ｓ）よりも高いことを特徴とする口腔・口周り保湿具を創出した。
その上で効果の面から口覆い部１０の二層構成を調整して出願人企業内の開発・実験協力者間でベストな程度を試行錯誤と試作完成させ、そのデータ数値、具体的には、通気性試験を行った口腔・口周り保湿具の試験結果数値に鑑み、口覆い部１０は、その通気性がＪＩＳ  Ｌ  １０９６Ａ法による測定で２２５．３立方センチメートル／（平方センチメートル・ｓ）以上であることを特徴とする口腔・口周り保湿具を創出するに至った。
【００３０】
口腔・口周り保湿具は、のどを守るために特に有効で、声優や、講演講師、ボイストレーニング関係者にも便利である。一方、常に意識をして口を開かないように、口で呼吸をしないようにすることはストレスになるし、口呼吸の方が取り入れられる空気の量が多いので、例えばスポーツを行う者などは口呼吸になりがちである。健康を維持したい人には、適切な手段で潤いを保ちたいが、口呼吸はデメリットが多く、その癖を身につけないようにすることが望まれる。
本件の口腔・口周り保湿具によれば、鼻づまり、口呼吸の癖、睡眠や集中時による無意識下等での口呼吸の際には十分な潤い効果があり、鼻呼吸時にも被覆範囲とその奥は乾燥した空気にさらされない等の一定の潤い効果が期待できる。
いずれにせよ、鼻呼吸への対処が無くても、口呼吸に対処が無いことに比べればその弊害は小さいといえ、むしろマスクの使用の例のように鼻孔を覆った状態で長時間過ごすと意識的にもだが、特に睡眠時、集中時の無意識時に息苦しさから口呼吸をしてしまい、習慣形成上良くない。この点に関してはさらに通気性に配慮すると、より望ましいものとなる。
鼻呼吸は妨げられることなく行うことができるから、装着しても快適さを維持できるし、さらには、鼻を出すことで美観上のメリットとなる場合があり、他者からの識別や、発声にも便利であると考えられる。
以上の通り、より幅広い状況下で便利な口腔・口周り保湿具を提供することができる。
製造者にとっては、既に有するもしくは比較的簡易に導入できるマスクの製造設備を活用しうる点も本発明の有用性といえる。
【符号の説明】
【００３１】
１  口覆い部外側層
２  口覆い部内側層
３  耳かけ
４  プリーツ
５  接着部
１０  口覆い部
【図１】
2019081984.tif 000003
【図２】
2019081984.tif 000004
【図３】
2019081984.tif 000005
【図４】
2019081984.tif 000006